(57)【要約】【課題】商品載置棚の高さレベルの変更作業を簡易なものとすること。【解決手段】前後方向に沿って延在する左右一対のブラケット２１と、ブラケット２１の相互間に跨る態様で支持され、上面に商品を載置させる棚板２２とを備えた商品載置棚２０を支持する棚支持装置３０であって、上下に延在する棚支柱１２ｂの任意の高さレベルに固定配置され、複数の係合孔３１１１が上下方向に沿って形成された固定支持部材３１と、ブラケット２１の後端部が係止されることでブラケット２１を支持するとともに、固定支持部材３１に対して昇降可能に取り付けられ、自身に揺動可能に設けられたレバー３４が任意の係合孔３１１１に進入して係合することで所定の高さレベルに配置される可動支持部材３２と、固定支持部材３１と可動支持部材３２との間に介在し、自身の復元力が一定荷重となる態様で可動支持部材３２を上方に向けて付勢する定荷重ばね３８を備えている。【選択図】図３
2020185343.tif 000002
【特許請求の範囲】
【請求項１】
前後方向に沿って延在する左右一対のブラケットと、
前記ブラケットの相互間に跨る態様で支持され、かつ上面に商品を載置させる棚板と
を備えた商品載置棚を支持する棚支持装置であって、
上下に延在する棚支柱の任意の高さレベルに固定配置され、かつ複数の係合孔が上下方向に沿って形成された固定支持部材と、
前記ブラケットの後端部が係止されることで該ブラケットを支持するとともに、前記固定支持部材に対して昇降可能に取り付けられ、かつ自身に揺動可能に設けられたレバーが任意の前記係合孔に進入して係合することで所定の高さレベルに配置される可動支持部材と、
前記固定支持部材と前記可動支持部材との間に介在し、自身の復元力が一定荷重となる態様で前記可動支持部材を上方に向けて付勢する付勢手段と
を備えたことを特徴とする棚支持装置。
【請求項２】
前記レバーは、前記係合孔に係合可能な進出姿勢と、該係合孔から離脱する退行姿勢との間で揺動可能であり、
前記可動支持部材は、前記レバーを前記進出姿勢に常時付勢するレバーばねを備えたことを特徴とする請求項１に記載の棚支持装置。
【請求項３】
前記ブラケットに前後方向に沿って変位可能に設けられるとともに、該ブラケットとの間に介在する押圧部材により後端部が前記レバーから離脱する態様で前方に向けて押圧され、かつ前端部が操作されて前記押圧部材の押圧力に抗して後方に向けて変位した場合に、前記後端部が前記レバーに当接して該レバーを前記退行姿勢に揺動させる操作部材を備えたことを特徴とする請求項２に記載の棚支持装置。
【請求項４】
前記操作部材の前端部は、常態においては、前記ブラケットの前端部分より前方に向けて突出していることを特徴とする請求項３に記載の棚支持装置。
【請求項５】
前記係合孔は、前記固定支持部材の前面に、上下方向に沿って形成されたことを特徴とする請求項１〜４のいずれか１つに記載の棚支持装置。
【発明の詳細な説明】
【技術分野】
【０００１】
本発明は、棚支持装置に関するものである。
【背景技術】
【０００２】
従来、例えばスーパーマーケットやコンビニエンスストア等の店舗では、商品を商品載置棚に載置させた状態でケース本体の内部に収納するようにしたショーケースが多く適用されている。
【０００３】
商品載置棚は、例えば左右一対のブラケットの間に棚板を支持させることによって構成されたものであり、ケース本体の内部に上下方向に沿って延在する棚支柱に形成された係止孔に、ブラケットの後端部の係止爪を進入させて該棚支柱に支持されている。棚支柱には、係止孔が上下方向に沿って複数設けられており、任意の係止孔に係止爪を進入させることにより、商品載置棚の設置高さレベルを変更することができる。
【０００４】
そのため、商品載置棚の設置高さレベルを変更するには、ブラケットの係止爪を係止孔から一旦離脱させて他の係止孔に進入させる必要があり、変更作業が煩雑なものとなっていた。特に商品載置棚は、棚板に商品を載置するものであるので、商品の載置数を十分に確保する観点より、左右方向が長手方向となるのが一般的であり、変更作業の煩雑さはより顕著なものとなっていた。
【０００５】
そこで、棚支柱に対し、該棚支柱の延在方向（上下方向）に沿って昇降可能に設けられ、かつブラケットの後端部と係止して該ブラケットを支持する昇降装置が提案されている。この昇降装置によれば、棚支柱の延在方向に沿って昇降することにより、商品載置棚を任意の高さレベルに設置させることができる（例えば、特許文献１参照）。
【先行技術文献】
【特許文献】
【０００６】
【特許文献１】実開平５−６５２５９号公報
【発明の概要】
【発明が解決しようとする課題】
【０００７】
しかしながら、そのような昇降装置では、棚支柱にラックを固着しつつ、該ラックに噛み合って転動するピニオンを固着した駆動軸を必要とし、この駆動軸を回転させるためのウォーム歯車及びウォームを備えた回転駆動手段を必要としていた。そして、ウォームの回転軸の端部にハンドルを係合させ、ハンドルを操作することによりウォームを回転軸回りに回転させて昇降装置を昇降させていたために、操作力が過大なものとなり、結果的に、商品載置棚の高さレベルの変更作業が煩雑なものであった。
【０００８】
本発明は、上記実情に鑑みて、商品載置棚の高さレベルの変更作業を簡易なものとすることができる棚支持装置を提供することを目的とする。
【課題を解決するための手段】
【０００９】
上記目的を達成するため、本発明に係る棚支持装置は、前後方向に沿って延在する左右一対のブラケットと、前記ブラケットの相互間に跨る態様で支持され、かつ上面に商品を載置させる棚板とを備えた商品載置棚を支持する棚支持装置であって、上下に延在する棚支柱の任意の高さレベルに固定配置され、かつ複数の係合孔が上下方向に沿って形成された固定支持部材と、前記ブラケットの後端部が係止されることで該ブラケットを支持するとともに、前記固定支持部材に対して昇降可能に取り付けられ、かつ自身に揺動可能に設けられたレバーが任意の前記係合孔に進入して係合することで所定の高さレベルに配置される可動支持部材と、前記固定支持部材と前記可動支持部材との間に介在し、自身の復元力が一定荷重となる態様で前記可動支持部材を上方に向けて付勢する付勢手段とを備えたことを特徴とする。
【００１０】
また本発明は、上記棚支持装置において、前記レバーは、前記係合孔に係合可能な進出姿勢と、該係合孔から離脱する退行姿勢との間で揺動可能であり、前記可動支持部材は、前記レバーを前記進出姿勢に常時付勢するレバーばねを備えたことを特徴とする。
【００１１】
また本発明は、上記棚支持装置において、前記ブラケットに前後方向に沿って変位可能に設けられるとともに、該ブラケットとの間に介在する押圧部材により後端部が前記レバーから離脱する態様で前方に向けて押圧され、かつ前端部が操作されて前記押圧部材の押圧力に抗して後方に向けて変位した場合に、前記後端部が前記レバーに当接して該レバーを前記退行姿勢に揺動させる操作部材を備えたことを特徴とする。
【００１２】
また本発明は、上記棚支持装置において、前記操作部材の前端部は、常態においては、前記ブラケットの前端部分より前方に向けて突出していることを特徴とする。
【００１３】
また本発明は、上記棚支持装置において、前記係合孔は、前記固定支持部材の前面に、上下方向に沿って形成されたことを特徴とする。
【発明の効果】
【００１４】
本発明によれば、複数の係合孔が上下方向に沿って形成された固定支持部材が上下に延在する棚支柱の任意の高さレベルに固定配置され、ブラケットの後端部が係止されることで該ブラケットを支持するとともに、固定支持部材に対して昇降可能に取り付けられた可動支持部材が、自身に揺動可能に設けられたレバーが任意の係合孔に進入して係合することで所定の高さレベルに配置され、固定支持部材と可動支持部材との間に介在する付勢手段が、自身の復元力が一定荷重となる態様で可動支持部材を上方に向けて付勢するので、レバーと係合孔との係合状態を解除した場合に、可動支持部材が即座に下降してしまうことがなく、しかも可動支持部材を上昇させる際も定荷重ばねの付勢力を利用することができ、商品載置棚の上下移動をスムーズに行うことができる。よって、商品載置棚の高さレベルの変更作業を簡易なものとすることができるという効果を奏する。
【図面の簡単な説明】
【００１５】
【図１】図１は、本発明の実施の形態である棚支持装置が適用されたショーケースを模式的に示す断面側面図である。
【図２】図２は、図１に示した商品載置棚及び棚支持装置を拡大して示す斜視図である。
【図３】図３は、図２に示した棚支持装置の要部を拡大して示す斜視図である。
【図４】図４は、図２に示した棚支持装置の要部を拡大して示す斜視図である。
【図５】図５は、図２に示した棚支持装置の要部を拡大して示す側面図である。
【図６】図６は、図２に示した棚支持装置の要部を拡大して示す平面図である。
【図７】図７は、図３〜図６に示した棚支持装置の要部を拡大して示す分解斜視図である。
【図８】図８は、操作部材が押圧操作された状態を示す側面図である。
【図９】図９は、操作部材が押圧操作された状態を示す斜視図である。
【図１０】図１０は、商品載置棚が下方に移動された状態を示す側面図である。
【図１１】図１１は、商品載置棚が上方に移動された状態を示す側面図である。
【発明を実施するための形態】
【００１６】
以下に添付図面を参照して、本発明に係る棚支持装置の好適な実施の形態について詳細に説明する。
【００１７】
図１は、本発明の実施の形態である棚支持装置が適用されたショーケースを模式的に示す断面側面図である。ここで例示するショーケースは、例えばスーパーマーケットやコンビニエンスストア等の店舗において商品を収容するものであり、ケース本体１０を備えて構成されている。
【００１８】
ケース本体１０は、底面部１１、後面部１２及び天面部１３を備え、これら底面部１１、後面部１２及び天面部１３によって囲まれる部分に前面及び左右両側面が開口した収納室１４が構成されている。またケース本体１０には、上記収納室１４と区画される態様で、通風路１５が設けられている。通風路１５は、底面部１１、後面部１２及び天面部１３の内部に形成されており、下側通風ダクト１５ａ、後側通風ダクト１５ｂ及び上側通風ダクト１５ｃを備えている。
【００１９】
下側通風ダクト１５ａは、底面部１１において、収納室１４の底面を構成する底面板１１ａよりも下方となる部分に構成されている。底面板１１ａの前端部分には、左右方向に沿って延在する吸込口１６が形成されている。つまり、吸込口１６は、収納室１４の前方下部に開口している。
【００２０】
後側通風ダクト１５ｂは、後面部１２において、収納室１４の背面を構成する背面板１２ａよりも後方となる部分に構成されている。この後側通風ダクト１５ｂは、下端部分が下側通風ダクト１５ａの後端部分と連通している。
【００２１】
上側通風ダクト１５ｃは、天面部１３において、収納室１４の天面を構成する天面板１３ａよりも上方となる部分に構成されている。この上側通風ダクト１５ｃは、後端部分が後側通風ダクト１５ｂの上端部分と連通している。天面板１３ａの前端部分には、左右方向に沿って延在する吹出口１７が形成されている。つまり、吹出口１７は、収納室１４の前方上部に開口している。
【００２２】
上記通風路１５の内部には、送風ファン１８や蒸発器１９が設置されている。送風ファン１８は、空気を循環させるものである。上記ショーケースにおいては、送風ファン１８が駆動することにより、吸込口１６を通じて通風路１５に吸い込んだ空気を吹出口１７まで送出し、該吹出口１７より収納室１４に吹き出すことにより、収納室１４と通風路１５との間で空気を循環させるものである。
【００２３】
蒸発器１９は、図示せぬ圧縮機、凝縮器及び膨張機構とともに冷媒を循環させる冷凍サイクルを構成している。圧縮機は、冷媒を圧縮するものであり、凝縮器は、圧縮機で圧縮された冷媒を凝縮させて放熱させるものである。膨張機構は、凝縮器で凝縮した冷媒を断熱膨張させて低温低圧の状態にさせるものである。
【００２４】
この蒸発器１９は、送風ファン１８が駆動することにより通風路１５を通過する空気と、膨張機構で低温低圧の状態にされた冷媒とを熱交換させるもの、より詳細には、低温低圧の冷媒が蒸発することにより通風路１５を通過する空気を冷却する温度調整手段である。この蒸発器１９で蒸発した冷媒は、圧縮機に吸引されて冷凍サイクルを循環することになる。
【００２５】
これにより上記ショーケースでは、圧縮機及び送風ファン１８が駆動すれば、蒸発器１９を通過した空気が通風路１５を通じて収納室１４に循環供給され、収納室１４が所望の冷蔵温度に維持されることになる。
【００２６】
収納室１４には、上下に沿って複数（図示の例では６つ）の棚支持装置３０が設けられている。棚支持装置３０は、図２に示すように、背面板１２ａの左右両側部に設けられた棚支柱１２ｂに取り付けられている。このような棚支持装置３０は、商品載置棚２０を支持するためのものである。
【００２７】
ここで商品載置棚２０は、ブラケット２１及び棚板２２を備えている。ブラケット２１は、棚支持装置３０から前方に突出するように配設されたものである。つまり、ブラケット２１は、収納室１４に互いに離隔する態様で前方に向けて配設された左右一対のものであり、板金等から形成されたものである。棚板２２は、ブラケット２１の相互間に跨る態様で支持され、かつ上面に商品を載置させるものである。
【００２８】
棚支持装置３０は、固定支持部材３１と、可動支持部材３２と、操作部材３３とを備えて構成されている。固定支持部材３１は、各棚支柱１２ｂに左右一対となる態様で取り付けられたものである。よって、以下においては便宜上、２つの固定支持部材３１において互いに近接した方向を内側と称し、互いに離反した方向を外側と称して説明する。
【００２９】
上記固定支持部材３１は、板金等から形成されたものであり、図３〜図６に示すように、前側壁部３１１、外側壁部３１２及び内側壁部３１３を有している。前側壁部３１１は、前方を臨む平板状部分であり、複数の矩形状の係合孔３１１１が上下方向に沿って形成されている。
【００３０】
外側壁部３１２は、前側壁部３１１の外端縁部より後方に向かって延在する平板状部分である。この外側壁部３１２は、下端部分が前側壁部３１１の下端部分よりも下方に突出している。また外側壁部３１２の後端部分には、後方に向けて突出する複数の係止片３１２１が形成されている。これら係止片３１２１は、棚支柱１２ｂの前面に設けられた係止孔１２１の任意に挿入することが可能である。係止片３１２１を係止孔１２１に挿入した場合には、外側壁部３１２の後端部分が棚支柱１２ｂの前面に当接することになり、固定支持部材３１を棚支柱１２ｂの任意の高さに固定配置させることが可能である。
【００３１】
内側壁部３１３は、前側壁部３１１の内端縁部より後方に向かって延在する平板状部分である。この内側壁部３１３には、上下方向に沿って延在するレール３１３１が取り付けられている。また内側壁部３１３の後端部分には、外側に向けて突出する上方ストッパ片３１３２及び下方ストッパ片３１３３が形成されている。上方ストッパ片３１３２は、レール３１３１よりも上方側に形成されており、下方ストッパ片３１３３は、上方ストッパ片３１３２よりも下方側に形成されている。
【００３２】
可動支持部材３２は、板金等から形成されたものであり、前壁部３２１、外壁部３２２及び内壁部３２３を有している。
【００３３】
前壁部３２１は、後面が前側壁部３１１の前面に対向する平板状部分であり、左右方向の長さが前側壁部３１１の左右方向の長さよりも大きいものである。この前壁部３２１には、図７にも示すように、外側端部に複数（図示の例では２つ）のブラケット用係止孔３２１１が形成されている。これらブラケット用係止孔３２１１には、ブラケット２１の後端部分より後方に向けて突出する態様で形成された係止爪２１１が挿入するものである。これにより前壁部３２１は、係止爪２１１が任意のブラケット用係止孔３２１１に挿入する場合に、ブラケット２１の後端部分が前壁部３２１の前面に当接してブラケット２１を略水平の片持ち状態で支持するものである。
【００３４】
また前壁部３２１においては、左右方向の中央部分より僅かに下方となる部分に左右一対の支持片３２１２が形成されている。これら支持片３２１２は、一部を前方に向けて切り起こすことにより構成され、左右方向に沿って貫通する支持孔３２１２ａが形成されている。これら支持片３２１２の相互間には、レバー３４が揺動可能に設けられている。
【００３５】
レバー３４は、板金等から形成されたものであり、上下方向が長手方向となる長尺状部材である。このレバー３４は、基部３４１と、係合部３４２と、当接部３４３とを有している。
【００３６】
基部３４１は、上下方向に沿って延在する平板状部分である。この基部３４１の内側端部と外側端部とには、後方に向けて屈曲された左右一対の被支持片３４１１が形成されている。これら被支持片３４１１には、左右方向に沿って貫通する被支持孔３４１１ａが形成されている。
【００３７】
係合部３４２は、基部３４１の下端縁部より後方に向けて延在する部分である。この係合部３４２の延在端部には、後方に向けて突出する係合片３４２１が形成されている。当接部３４３は、基部３４１の上端縁部より上方に向かうに連れて漸次前方に傾斜して延在する平板状部分である。この当接部３４３は、基部３４１よりも外側に突出しており、左右方向が上下方向よりも長手方向となるものである。
【００３８】
かかるレバー３４は、支持片３２１２の相互間に被支持片３４１１が進入し、レバー軸部３５が支持孔３２１２ａ及び被支持孔３４１１ａを貫通することにより、該レバー軸部３５の中心軸回りに揺動可能に設けられている。そして、レバー３４は、レバー軸部３５を巻回する態様で配設され、かつ該レバー３４と前壁部３２１との間に介在するレバーばね３６により、係合部３４２が後方に向かう態様で付勢されており、係合片３４２１がいずれかの係合孔３１１１に進入可能である。すなわち、レバー３４は、係合片３４２１がいずれかの係合孔３１１１に進入して該係合孔３１１１と係合可能な進出姿勢と、該係合孔３１１１から離脱する退行姿勢との間で揺動可能であり、レバーばね３６は、レバー３４を進出姿勢に常時付勢するものである。
【００３９】
外壁部３２２は、前壁部３２１の外端縁部より後方に向かって僅かに延在する平板状部分である。この外壁部３２２は、内面が外側壁部３１２の外面に対向するとともに、該外側壁部３１２から外側に離隔している。
【００４０】
内壁部３２３は、前壁部３２１の内端縁部より後方に向かって延在する平板状部分である。この内壁部３２３には、上記レール３１３１によって上下方向に案内されるスライダ３２３１が取り付けられている。かかる内壁部３２３の延在端部には、外側に向けて延在する取付片３２３２が形成されている。取付片３２３２は、上方ストッパ片３１３２と下方ストッパ片３１３３との間において外側に向けて延在する部分であり、ばねケース３７が取り付けられている。
【００４１】
ばねケース３７は、固定支持部材３１の外側壁部３１２と内側壁部３１３との相互間に配置されており、定荷重ばね（付勢手段）３８が巻回されたドラム３９を回転軸３９ａの回りに回転可能に支持するものである。定荷重ばね３８は、先端部分が、前壁部３２１の後面の上部分に設けられたばね係止部４０に係止されている。この定荷重ばね３８は、固定支持部材３１と可動支持部材３２との間に介在し、復元力が一定荷重となるものである。
【００４２】
つまり、可動支持部材３２は、ブラケット２１を支持するとともに、スライダ３２３１がレール３１３１に案内されることにより、固定支持部材３１に対して昇降可能なものである。しかも取付片３２３２が上方ストッパ片３１３２と下方ストッパ片３１３３との間に配置されているので、可動支持部材３２は、取付片３２３２が上方ストッパ片３１３２に当接する上限位置と、取付片３２３２が下方ストッパ片３１３３に当接する下限位置との間で昇降可能である。そして、可動支持部材３２が上限位置に配置される場合には、レバー３４は、係合片３４２１が最も上方に形成された係合孔３１１１に進入して該係合孔３１１１と係合可能であり、可動支持部材３２が下限位置に配置される場合には、レバー３４は、係合片３４２１が最も下方に形成された係合孔３１１１に進入して該係合孔３１１１と係合可能である。更に、可動支持部材３２は、定荷重ばね３８により上方に向けて付勢されている。尚、図２〜図６中の符号４１は、左右一対の固定支持部材３１に対して昇降可能に設けられた可動支持部材３２同士を連結する連結部材である。
【００４３】
操作部材３３は、前後方向に沿って延在するロッド状部材である。この操作部材３３は、可動支持部材３２に支持されるブラケット２１の内面に設けられた支持ブロック２１２の貫通孔２１２ａを貫通する態様で前後方向に沿って変位可能に設けられている。かかる操作部材３３は、支持ブロック２１２（ブラケット２１）との間に介在するスプリング（押圧部材）３３ａにより前方に向けて変位するように押圧されており、これにより、後端部３３１がレバー３４の当接部３４３の前方域に配置されるとともに、前端部３３２がブラケット２１の前端部分より前方に突出している。
【００４４】
以上のような構成を有する棚支持装置３０においては、商品載置棚２０の設置高さレベルの変更作業を次のようにして行うことができる。作業者が操作部材３３の前端部３３２を後方に向けて押圧することにより、図８及び図９に示すように、操作部材３３がスプリング３３ａの押圧力に抗して後方に向けて変位して後端部３３１が当接部３４３に当接し、進出姿勢にあるレバー３４を退行姿勢に揺動させる。これにより、レバー３４の係合片３４２１が係合孔３１１１から離脱することでレバー３４と係合孔３１１１との係合状態が解除され、可動支持部材３２が昇降可能になる。この可動支持部材３２は、定荷重ばね３８により上方に向けて付勢されているので、下限位置まで即座に下降してしまう虞れがない。
【００４５】
そして、定荷重ばね３８の付勢力に抗して、図１０に示すように可動支持部材３２を下降させることにより、進出姿勢に揺動したレバー３４の係合片３４２１が所定の係合孔３１１１に進入して該レバー３４が該係合孔３１１１と係合することで商品載置棚２０の設置高さレベルを変更することができ、あるいは定荷重ばね３８の付勢力を利用して、図１１に示すように可動支持部材３２を上昇させることにより、進出姿勢に揺動したレバー３４の係合片３４２１が所定の係合孔３１１１に進入して該レバー３４が該係合孔３１１１と係合することで商品載置棚２０の設置高さレベルを変更することができる。
【００４６】
以上説明したように、本発明の実施の形態である棚支持装置３０によれば、複数の係合孔３１１１が上下方向に沿って形成された固定支持部材３１が棚支柱１２ｂの任意の高さレベルに固定配置され、ブラケット２１を支持するとともに固定支持部材３１に対して昇降可能に取り付けられた可動支持部材３２が、レバー３４が任意の係合孔３１１１に進入して係合することで所定の高さレベルに配置され、固定支持部材３１と可動支持部材３２との間に介在する定荷重ばね３８が、復元力が一定荷重となる態様で可動支持部材３２を上方に向けて付勢するので、レバー３４と係合孔３１１１との係合状態を解除した場合に、可動支持部材３２が下限位置まで即座に下降してしまうことがなく、しかも可動支持部材３２を上昇させる際も定荷重ばね３８の付勢力を利用することができ、商品載置棚２０の上下移動をスムーズに行うことができる。これにより商品載置棚２０の高さレベルの変更作業を簡易なものとすることができる。
【００４７】
上記棚支持装置３０によれば、ブラケット２１に前後方向に沿って変位可能に設けられるとともに、該ブラケット２１との間に介在するスプリング３３ａにより後端部３３１がレバー３４から離脱する態様で前方に向けて押圧された操作部材３３が、前端部３３２が操作されてスプリング３３ａの押圧力に抗して後方に向けて変位した場合に、後端部３３１がレバー３４に当接してレバー３４を退行姿勢に揺動させるので、操作部材３３を押圧操作するだけでレバー３４と係合孔３１１１との係合状態を解除することができ、商品載置棚２０の高さレベルの変更作業の操作を容易なものとすることができる。特に、操作部材３３の前端部３３２が、常態においては、ブラケット２１の前端部分より前方に向けて突出しているので、作業者は、ブラケット２１の前端部分より前方に向けて突出している前端部３３２に操作力を付与して操作部材３３を押圧操作すればよく、商品載置棚２０の設置高さレベルの変更作業の操作性を向上させることができる。
【００４８】
上記棚支持装置３０によれば、レバー３４は、レバー軸部３５の下方側に位置する係合部３４２の係合片３４２１が、レバー軸部３５を中心にして後方に向けて揺動することで係合孔３１１１に進入可能な進出姿勢となり、前方に向けて揺動することで係合孔３１１１から離脱する退行姿勢となるので、可動支持部材３２を上昇させる場合には、その上昇過程において係合片３４２１が係合孔３１１１に進入してもその係合孔３１１１の上端縁部に当接することで、レバー３４は、レバーばね３６の付勢力に抗して前方に揺動することができ、可動支持部材３２の上昇を阻害することがない。
【００４９】
以上、本発明の好適な実施の形態について説明したが、本発明はこれに限定されるものではなく、種々の変更を行うことができる。
【００５０】
上述した実施の形態では、操作部材３３がブラケット２１に変位可能に設けられていたが、本発明においては、操作部材は、レバーを退行姿勢に揺動させることができれば、その配設個所は特に限定されるものではない。
【符号の説明】
【００５１】
１０…ケース本体、１２ｂ…棚支柱、１２１…係止孔、１４…収納室、２０…商品載置棚、２１…ブラケット、２１１…係止爪、２２…棚板、３０…棚支持装置、３１…固定支持部材、３１１…前側壁部、３１１１…係合孔、３１２…外側壁部、３１２１…係止片、３１３…内側壁部、３１３１…レール、３１３２…上方ストッパ片、３１３３…下方ストッパ片、３２…可動支持部材、３２１…前壁部、３２１１…ブラケット用係止孔、３２１２…支持片、３２１２ａ…支持孔、３２２…外壁部、３２３…内壁部、３２３１…スライダ、３２３２…取付片、３３…操作部材、３３ａ…スプリング、３３１…後端部、３３２…前端部、３４…レバー、３４１…基部、３４１１…被支持片、３４１１ａ…被支持孔、３４２…係合部、３４２１…係合片、３４３…当接部、３５…レバー軸部、３６…レバーばね、３７…ばねケース、３８…定荷重ばね、３９…ドラム、３９ａ…回転軸、４０…ばね係止部。
【図１】
2020185343.tif 000003
【図２】
2020185343.tif 000004
【図３】
2020185343.tif 000005
【図４】
2020185343.tif 000006
【図５】
2020185343.tif 000007
【図６】
2020185343.tif 000008
【図７】
2020185343.tif 000009
【図８】
2020185343.tif 000010
【図９】
2020185343.tif 000011
【図１０】
2020185343.tif 000012
【図１１】
2020185343.tif 000013